(57)【要約】    【課題】  帽子に装着して着用者の首筋後部から側面部にかけてを覆い日焼け防止及び防暑効果を向上し、しかも簡単に帽子への着脱が可能である帽子用日除けカバーを提供する。    【解決手段】  山部２４と庇２２とからなり、山部２４の後部中央下端部に切欠部２５とその切欠部の調節ベルト２１とを備える帽子２に垂下し装着される帽子用日除けカバー１であって、遮光性及び通気性を有するシート材３からなり、前記調節ベルト２１に着脱自在である固定具１３を前記帽子用日除けカバー裏面１１ａの中央部上方に設け、該カバーの上部１４の両端部１４ａ，１４ｂを連結し前記庇の外縁部２３を保持する保持具１６を具えたゴム紐１５を設け、前記帽子２の後部を外側から覆って装着する。    【選択図】  図３
2005068585.tif 000002
【特許請求の範囲】
【請求項１】
山部と庇とからなり、山部の後部中央下端部に切欠部と前記切欠部の調節ベルトとを備える帽子に垂下し装着される帽子用日除けカバーであって、
遮光性及び通気性を有するシート材からなり、
前記調節ベルトに着脱自在である固定具を前記帽子用日除けカバー裏面の中央部上方に設け、該カバーの上部の両端部を連結し前記庇の外縁部を保持する保持具を具えたゴム紐を設けた
ことを特徴とする帽子用日除けカバー。
【請求項２】
山部と山部周囲のツバとからなる帽子に垂下し装着される帽子用日除けカバーであって、
遮光性及び通気性を有するシート材からなり、
前記ツバの外縁部に着脱自在である把持具を前記帽子用日除けカバーの上部の両端部又はその近傍に設けた
ことを特徴とする帽子用日除けカバー。
【請求項３】
前記シート材が、遮光処理を施したテープ状ヤーンが通気可能な隙間を存して並列状に配されてなる表層と、他の繊維糸よりなる通気可能な空隙を有する裏層とが編織手段により一体に製され２層構造をなしている
ことを特徴とする請求項１又は２に記載の帽子用日除けカバー。
【発明の詳細な説明】
【技術分野】
【０００１】
本発明は、野外での農作業や工事現場などでの作業、スポーツやレジャーにおいて用いられ、帽子の後部から側面部にかけて垂下して装着し、日焼け防止及び防暑効果を有する着脱自在の帽子用日除けカバーに関する。
【背景技術】
【０００２】
従来より、農作業や工事現場などの野外作業やスポーツ、レジャーなど野外の炎天下における直射日光、太陽熱による日焼け防止及び防暑対策として帽子が着用され、これらの作業帽子や麦わら帽子には後部に布地等の日除けカバーを垂下させ、帽子を被った時に後ろ首筋や顔面側部、背中への直射日光を遮ぎって日焼けを防止し、太陽熱から肌身を守ることが一般的に行われている。また、タオル等を安全ピンなどの係止具で帽子に取り付け用いられることもあるが、時には安全ピンが外れ危険を伴うこともある。
【０００３】
このような日除け効果を有する帽子として、帽子本体と、この帽子本体の略半分を構成する遮光材料でなる少なくとも首部を被う被部と、前記首部に捲装するひもとで構成された帽子が開示されている（特許文献１参照）。
【特許文献１】実用新案登録第３０７５４５５号公報
【発明の開示】
【発明が解決しようとする課題】
【０００４】
上記特許文献に記載の帽子は、炎天下の作業において直射日光に対する遮光効果を発揮し、日焼け防止対策としては優れたものであるが、日焼け対策となる遮光材料が帽子本体の略半分を構成し一体化されたものである。従って、この首部から背中へ垂れ下がる日除けを雨天で不要とする時やスポーツやレジャーで日除けが邪魔となる時にも被部を取り外すことができず、帽子の収納時にも被部が嵩張るという不具合があり、また、他の帽子にはこの遮光材料でなる被部を自由に取り付けることができず作業時に使用する帽子が限定されてしまうという問題点がある。
【０００５】
そこで本発明の目的は、遮光性及び通気性を有するシート材からなる帽子用日除けカバーを帽子に垂下し装着して着用者の首筋後部から側面部、更に背中にかけて覆い、日焼け防止及び防暑効果を向上し、しかも日除けカバーを簡単に、短時間で帽子に装着、取り外しできる帽子用日除けカバーを提供することにある。
【課題を解決するための手段】
【０００６】
請求項１の発明は、山部と庇とからなり、山部の後部中央下端部に切欠部とその切欠部の調節ベルトとを備える帽子に垂下し装着される帽子用日除けカバーであって、遮光性及び通気性を有するシート材からなり、前記調節ベルトに着脱自在である固定具を前記帽子用日除けカバー裏面の中央部上方に設け、該カバーの上部の両端部を連結し前記庇の外縁部を保持する保持具を具えたゴム紐を設けたことを特徴とする帽子用日除けカバーである。
【０００７】
本発明の帽子用日除けカバーは、遮光性及び通気性を有するメッシュ状のカバー本体と固定具と保持具を具えたゴム紐とで構成され、着脱自在の固定具により調節ベルトに日除けカバーを固定し、ゴム紐に具えた保持具でカバー上部の両端部を引っ張った状態で庇の外縁中央部に保持させることで日除けカバーを簡単にかつ堅固に短時間で帽子の後部を外側から覆って装着し、逆に取り外すことができる。この固定具をカバー裏面の中央部上方に設けることで、日除けカバーが帽子の後部下端部の切欠部の外側を覆うので切欠穴部への日光照射を防ぎ、またカバー上部が前方の庇先端に向かって傾斜して装着されるのでカバーが帽子の後部から側面にかけてフィットし、着用者の首筋後部から側面部にかけての直射日光による日焼けから防御し、かつ首筋とカバーとの間に空間部を設けて通風性を良好にし首廻りから背中にかけての熱や湿気のこもりを防ぎ防暑効果を向上させ、さらに害虫、埃や雨風などの侵入を防ぐ効果もある。この日除けカバーは、部品点数が少なく、容易な裁断と縫製加工で得られ、またマジックテープ（登録商標）や引っ掛けタイプのクリップなどの安全性の高い取付用部品を採用することで、安価で安全性に優れる日除けカバーを提供することができる。
【０００８】
請求項２の発明は、山部と山部周囲のツバとからなる帽子に垂下し装着される帽子用日除けカバーであって、遮光性及び通気性を有するシート材からなり、前記ツバの外縁部に着脱自在である把持具を前記帽子用日除けカバーの上部の両端部又はその近傍に設けたことを特徴とする帽子用日除けカバーである。
【０００９】
本発明の帽子用日除けカバーは、遮光性及び通気性を有するメッシュ状のカバー本体とカバーの上部の両端部又は両端部の近傍に設けた２個の着脱自在の把持具とで構成され、帽子の両側部分のツバ外縁部をそれぞれの把持具で把持することで、日除けカバーをサイズやツバの形状、長さの異なる帽子に簡単に着脱することができる。そして、日除けカバーを帽子後部のツバ外縁部を覆って装着することで着用者の首筋後部から側面部にかけて保護し直射日光による日焼けを防止し、かつ首筋とカバーとの間に空間部を設けて通風性を良好にし首廻りから背中にかけての熱や湿気のこもりを防ぎ防暑効果を向上し、さらに害虫、埃や雨風などの侵入を防ぐこともできる。この場合、日除けカバー側部同士を結ぶ首紐や腰紐を設けておくと、日除けカバーの装着安定性を向上し、作業動作や風などのよる脱落、位置ズレを防止し、害虫等の侵入防止効果も向上する。この日除けカバーは、部品点数が少なく、裁断や縫製加工が容易であるので、製造コストの低減も可能となり、安価で安全な帽子用日除けカバーが得られる。
【００１０】
請求項３の発明は、前記シート材が、遮光処理を施したテープ状ヤーンが通気可能な隙間を存して並列状に配されてなる表層と、他の繊維糸よりなる通気可能な空隙を有する裏層とが編織手段により一体に製され２層構造をなしていることを特徴とする請求項１又は２に記載の帽子用日除けカバーである。
【００１１】
本発明の帽子用日除けカバーによれば、表層により直射日光や太陽熱を遮断して日焼けを防ぐと共に、テープ状ヤーンの隙間と繊維糸間の空隙部により遮熱効果と通気性を向上しシート内の温度上昇を抑え内部の熱や湿気のこもりを防ぎ防暑効果を向上することができる。しかも、シートの強度が高く軽量であり、かつシートに柔軟性を具えて装着時の帽子とのフィット性を得、また着用時の違和感を防ぎ着用性を向上し、野外炎天下での作業環境の改善を図ることができる。
【発明の効果】
【００１２】
本発明の帽子用日除けカバーによれば、遮光性と通気性に優れ、直射日光や太陽熱を遮断しカバー内部の熱や湿気のこもりを防ぐことができ、野外における日焼け防止、防暑対策としての効果を発揮し、特に炎天下での日射病や熱中病の予防に有効である。しかも帽子への着脱が容易で短時間で行え、不要時には簡単に取り外し収納することができ、また帽子のサイズ、庇やツバの形状、大きさに対応して装着が可能となり、異なる帽子にも簡単に装着できるので帽子を取り替えて作業の気分転換を図ることもできる。
【００１３】
また、その構成部品が少なくその製造も容易であり、安全性の高い部品を使用することで、安全性に優れた使い勝手のよい帽子用日除けカバーを安価に提供することができる。
【発明を実施するための最良の形態】
【００１４】
以下に、本発明の実施の形態を図面を参照して説明する。
【００１５】
（第１の実施形態）
第１の実施形態の帽子用日除けカバー１は、山部と庇とからなり、山部後部中央下端の切欠部とこの切欠部の幅を調整する調節ベルトを備えたフリーサイズに調整できる、所謂野球帽などの「キャップ型」の帽子に用いられる日除けカバーであり、図１は帽子用日除けカバー１の正面図、図２はカバー１の背面図であり、図３は日除けカバー１の帽子２への装着を説明する図、図４は帽子２着用時の側面図である。
【００１６】
図に示すように、帽子用日除けカバー１は、遮光性及び通気性を有するシート材からなる略半円形状の縁取り１２が施されたカバー本体１１と、帽子２の山部後部の調節ベルト２１に着脱自在の固定具１３をカバー裏面１１ａの中央部上方に設け、また、カバー上部１４の両端部１４ａ，１４ｂを連結するゴム紐１５とこのゴム紐１５に備えた帽子２の庇２２外縁部２３に引っ掛けて保持する保持具１６とを設けて構成されている。
【００１７】
カバー本体１１を構成するシート材としては、遮光性と通気性を有するメッシュ状の編み物あるいは織物からなるもので、帽子の外周に沿って変形しやすい柔軟性を有し、軽量で強度が高くかつ良好な着用性を備えたシートが好ましい。
【００１８】
このシート材としては、図６のシート正面図及び図７のその背面図に示すようなシート３が好適に用いられる。シート３は、緯糸として表層３１を構成する遮光処理を施したテープ状ヤーン３２と、裏層３３を構成する経糸挿入糸３４とを経糸３５で２層構造に製編し、テープ状ヤーン３２間に隙間Ｓ、経糸挿入糸３間に空隙Ｋが設けらた遮光性と通気性を兼備したもので、表層３１側が日除けカバー１の外側になるように用いられ、またテープ状ヤーン３２を日除けカバー１の縦方向使いとすることで雨天や散水時の水はけ性を向上することができる。
【００１９】
上記シート３は、図に示すように、表層３１に遮光処理が施されたテープ状ヤーン３２を隙間Ｓを設けてフラットな状態で引き揃えて配列したものを緯糸として、その裏面に白系色のテープ状ヤーンでなる経糸挿入糸３４が横振りで波打ち状に配され、経糸３５によりテープ状ヤーン３２と経糸挿入糸３４とが緯糸挿入経編方式で製編されたもので、表層３１を構成するテープ状ヤーン３２が緯糸となり、編幅方向に略直線状に引き揃えられて略フラットな状態で並列状に、経糸挿入糸３４を含む経編組織に対して挿入され、テープ状ヤーン３２のフラット性を保持し直射日光の遮断効果を向上することができる。
【００２０】
前記経編組織は、経方向の編目列を形成する編目形成糸である経糸３５と、複数の編目列間に渡って横振り挿入される経糸挿入糸３４とよりなり、この経糸挿入糸３４が裏層３３として編目列間で並列状に並び、該経編組織の表面側において経糸３５によりテープ状ヤーン３２が保持され２層構造のシート３を形成することで、テープ状ヤーン３２の表層フラット性を確保して２層構造のシート３の一体性を保持し、直射日光の反射と通気性を向上すると共に軽量で強度が高く、かつ柔軟性を維持し着用性を良好にしている。
【００２１】
テープ状ヤーン３２は、表面にアルミニウムなどの金属蒸着や金属箔のラミネート等により銀面化した反射性及び遮光性を有するポリエステルなどの合成樹脂フィルムを細帯状にスリットしたものが使用でき、遮光率が６０％以上、好ましくは７０％以上であることが望ましく、日光や熱を反射し遮断効果を確実なものとする。
【００２２】
また、経糸挿入糸３４は、挿入糸３４相互間に適度な間隔を設けて並列され上記テープ状ヤーン３２と共にシート３の通気性を確保し、表層３１からの照り返しを防御する繊維層を形成するものであり、表層３１との２層構造によりシート３の強度を確保し、しかも軽量であり柔軟性を兼備して着用性を向上するものが好ましく、ポリエステルやナイロン、アクリル等の合成樹脂フィルムを幅２〜１０ｍｍ程度にスリットしたテープ状ヤーンを用いるのが通気性と着用性の確保、強度と軽量化との両立や製編性向上の観点から好ましく、また、これらの合成繊維のマルチフィラメント糸、またその紡績糸、或いは綿や麻などの天然繊維糸を使用することもできる。この挿入糸３４は白系色系統の色であると、照り返しを防御し防暑効果をより向上することができ、色彩による清涼感向上の効果も得られ好ましい。
【００２３】
また、編目形成糸である経糸３５としては、比較的細くかつ強度に優れるものが用いられ、例えば、ポリエステルやナイロン、アクリル等のモノフィラメントやマルチフィラメント糸が好適であり、シート３の２層構造を保持し、強度を確保することができる。
【００２４】
日除けカバー１の裏面１１ａの中央部上方に設けられる固定具１３は、帽子２の山部後部の調節ベルト２１に通して日除けカバー１を容易に固定できるものであればよく、図３に示すような雄雌のマジックテープ１３ａ，１３ｂの他に、カバー本体側とループ状の固定用紐端部に雄と雌の面ホックを設けたものなど簡単に調節ベルト２１に日除けカバー１が着脱できものであればよく、かつ安全性の高いものが好ましい。
【００２５】
日除けカバー上部１４の両端部１４ａ，１４ｂは、ゴム紐１５で連結され、このゴム紐１５には帽子２の庇２２外縁部２３に引っ掛けてカバーの両端部１４ａ，１４ｂを前方に引っ張った状態で保持する着脱自在の保持具１６が、ゴム紐１５を自由に移動できるように設けられている。
【００２６】
この保持具１６は、例えば図５に示すような、ゴム紐１５に通す穴１６ａと庇２２の外縁部２３に引っ掛ける鉤状部１６ｂを備えた簡単な構造のプラスチックや金属製の引っ掛けタイプのクリップが例示される。
【００２７】
日除けカバー１は、帽子２の裏面側から見た図３（ａ）に示すように、帽子２の調節ベルト２１にマジックテープ雄１３ｂを通し、カバー裏面１１ａに縫い込まれたマジックテープ雌１３ａとの間に調節ベルト２１を挟み込み、マジックテープ１３ａ，１３ｂを密着させ固定した後、図３（ｂ）に示すようにゴム紐１５の保持具１６を前方に引っ張りながら帽子２の庇２２中央の外縁部２３にクリップ状の鉤状部１６ｂを引っ掛けてることで簡単に装着し、また逆に取り外すことができる。
【００２８】
本発明の帽子用日除けカバー１は、図４に示すように、農作業や工事現場の野外作業現場で簡単に帽子２の後部下端部の切欠部２５の外側を覆い、カバー上部１４が前方の庇先端に向かって傾斜し帽子２の後部から側面にかけてフィットし装着されるので、着用者４の首筋後部とカバー１の間に空間部４１を設けて首筋後部から顔面側部を覆うことができる。
【００２９】
これにより、切欠部２５の穴も塞いで直射日光を反射して日焼けを防止し、太陽熱を遮蔽し、また照り返しを防御し、空間部４１により日除けカバー１と肌身との密着を防いで通風性を良好に保ち、空間部４１内部の熱や湿気のこもりを防ぎ防暑効果を向上することができ、不要時には簡単に取り外すことができる。また、日除け防止効果の他に、害虫や埃などの侵入を防ぎ、雨風に対しても顔や目を防護する効果がある。
【００３０】
そして、日除けカバー１は帽子２への着脱が容易であるので、携帯性がよく、収納時にも嵩張ることがなく、異なる帽子にも簡単に装着できるので帽子を取り替えて作業することもできる。
【００３１】
また、日除けカバー１は、部品点数が少なく、その裁断や縫製加工が容易であることから、加工コストを低減することが可能となり、安全性に優れた帽子用日除けカバーを安価に提供することができる。
【００３２】
（第２の実施形態）
第２の実施形態の帽子用日除けカバー５は、山部とその周囲のツバ６１とからなる麦わら帽子などの「ハット型」の帽子６に用いられ、図８は日除けカバー５の正面図、図９は帽子６への装着を説明する図、図１０は帽子６着用時の側面図である。
【００３３】
図に示すように、帽子用日除けカバー５は、遮光性及び通気性を有するシート材からなる周囲に縁取り５２が施された略半小判形状の縦長のカバー本体５１と、カバー上部５４の両端部５４ａ，５４ｂに設けた帽子６のツバ６１の外縁部６２を帽子両側部で把持する２個の把持具５３とで構成されている。
【００３４】
把持具５３は、金属やプラスチック製の２枚の板状体でツバ６１の外縁部６２をバネ作用で挟み把持するもの（例えば、洗濯挟み状のクリップなど）、また図１１に示すような断面Ｕ字形状の把持具５３の一辺側にツバ外縁部６２を挟み込む出入り可能な爪状突起５３ｃを有するクリップなど、ツバ外縁部６２に日除けカバー５を簡単に固定し着脱自在にできるものであればよい。
【００３５】
この把持具５３は、日除けカバー５のカバー上部５４の両端部５４ａ，５４ｂ又はその近傍の縁取り５２に直接取り付けてもよいし、図８のＡ部拡大図に示すようにカバー裏面の縁取り５２に縫い付けたループ状紐５２ａを介して取り付けてもよい。
【００３６】
カバー本体５１を構成するシート材としては、第１の実施形態と同様に図５，６に示されるシート３が好適に使用され、また遮光性と通気性を有するメッシュ状の編み物あるいは織物で、軽量で丈夫かつ着用性を備えたシートであれば使用できる。
【００３７】
日除けカバー５は、図９（ａ）に示すように、帽子６のツバ６１後部の周上からカバー５のカバー上部５４を覆い被せ、一方の把持具５３ａで帽子６片側のツバ外縁部６２を把持して位置決めし、カバー上部５４が帽子後部のツバ６１上を覆うように他方の把持具５３ｂで他方側の外縁部６２を把持することで日除けカバー５を簡単に帽子６に装着することができ、着用者の首筋後部から側面部にかけて保護し直射日光による日焼けを防止し、かつ首筋とカバーとの間に空間部４２を設けて肌身との密着を防ぎ、通風性を確保し首廻りから背中にかけての熱や湿気のこもりを防ぎ防暑効果を向上することができ、さらに日除けカバー５の下端部を延長すれば腰部までの防暑性を向上することもできる。
【００３８】
もちろん、日除けカバー５は、カバー上部５４が帽子後部のツバ６１の下側に位置して首筋後部から側面部を直接覆うように装着し直射日光を遮蔽することもできるが、上記空間部４２が少なくなり防暑効果が減少することから、上記のようにツバ６１上部を覆うように装着するのが好ましい。
【００３９】
また、日除けカバー５の両側縁取り５２に首紐５５を結ぶためのループ状の紐穴５６を設け、日除けカバー５の両側部を首紐５５で固定できるようにしてもよく、図９（ｂ）のように首紐５５によってカバー装着性を安定させ、風などのよる帽子６の脱落を防止することができる。さらに、ループ状の紐穴５７を日除けカバー５の下端部に設けて紐５８を通せるようにし、腰部を固定できるようにしてもよく、風などによるカバー５の位置ズレや作業の邪魔にならないようにすることができる。
【００４０】
これにより、帽子用日除けカバー５においても前述の日除けカバー１と同様に、図１０に示すように、農作業や工事現場の野外作業現場で帽子６に装着して着用者４の首筋後部とカバー５の間に空間部４２を設けて首筋後部から顔面側部を覆い、直射日光を反射して日焼けを防止し、太陽熱を遮蔽して照り返しを防御し、通風性を良好に保ち空間部４２内部の熱や湿気のこもりを防ぎ防暑効果を向上することができ、不要時には簡単に取り外すことができる。また、害虫や埃などの侵入を防ぎ、雨や風に対しても顔や目を防護することができる。
【００４１】
そして、日除けカバー５は、サイズやツバの形状、大きさの異なる帽子にも装着することができるので、異なる帽子にも簡単に装着し帽子を取り替えて作業することもできる。また、帽子への着脱が容易であるので、携帯性がよく、収納時にも嵩張ることがなく便利である。
【００４２】
また、日除けカバー５は部品点数が少なく、裁断と縫製加工が容易であることから、加工コストを低減し、優れた日除け効果と安全性を有する帽子用日除けカバーを安価に提供することができる。
【産業上の利用可能性】
【００４３】
本発明の帽子用日除けカバーは、野球帽などの調節ベルト付きフリーサイズのキャップ型の帽子、又は麦わら帽などのハット型の帽子の日除けカバーとして日焼け防止及び防暑対策に使用され、炎天下での作業環境を改善し熱射病や熱中病の予防に効果的に用いられる。
【図面の簡単な説明】
【００４４】
【図１】第１の実施形態の帽子用日除けカバーの正面図である。
【図２】第１の実施形態の帽子用日除けカバーの背面図である。
【図３】第１の実施形態の帽子用日除けカバーの装着を説明する図である。
【図４】第１の実施形態の帽子用日除けカバー着用時の側面図である。
【図５】保持具の１例を示す斜視図である。
【図６】実施形態のシート材の正面図である。
【図７】実施形態のシート材の背面図である。
【図８】第２の実施形態の帽子用日除けカバーの正面図である。
【図９】第２の実施形態の帽子用日除けカバーの装着を説明する図である。
【図１０】第２の実施形態の帽子用日除けカバー着用時の側面図である。
【図１１】把持具の１例を示す斜視図である。
【符号の説明】
【００４５】
１……帽子用日除けカバー
１１ａ……カバー裏面
１３……固定具
１４……カバー上部
１５……ゴム紐
１６……保持具
２……帽子
２１……調節ベルト
２２……庇
２３……外縁部
２４……山部
２５……切欠部
【図１】
2005068585.tif 000003
【図２】
2005068585.tif 000004
【図３】
2005068585.tif 000005
【図４】
2005068585.tif 000006
【図５】
2005068585.tif 000007
【図６】
2005068585.tif 000008
【図７】
2005068585.tif 000009
【図８】
2005068585.tif 000010
【図９】
2005068585.tif 000011
【図１０】
2005068585.tif 000012
【図１１】
2005068585.tif 000013